(57)【要約】【課題】薬液の漏れや食品への異物混入を抑制するワイパーストッカーを提供する。【解決手段】ワイパーストッカー１は、開口部２ａを有する金属製の本体２と、本体２にスライド方向Ｓにスライド自在に取り付けられ、開口部２ａを塞ぐ上板３２にワイパーを引き出す引出口３１が形成された金属製の蓋体２と、を備えている。【選択図】図１
2019156475.tif 000002
【特許請求の範囲】
【請求項１】
ウェットワイパーを収容するワイパーストッカーであって、
上部に開口部を有する箱状に形成された金属製の本体と、
前記本体に水平方向にスライド自在に取り付けられ、前記開口部を塞ぐ上板に前記ウェットワイパーを引き出す引出口が形成された金属製の蓋体と、
を備えているワイパーストッカー。
【請求項２】
前記蓋体が開限位置に達した際に前記蓋体を規制するストッパー手段をさらに備えている請求項１記載のワイパーストッカー。
【請求項３】
前記ストッパー手段は、
前記本体の側壁外周から突設された留め部と、
前記蓋体に垂設されて前記留め部に係止可能な突片と、
を備えていることを特徴とする請求項２記載のワイパーストッカー。
【請求項４】
前記蓋体が前記本体に対して浮き上がることを規制するガイド手段をさらに備えていることを特徴とする請求項１から３の何れか１項記載のワイパーストッカー。
【請求項５】
閉蓋時に前記蓋体を前記本体に固定可能なロック手段をさらに備えていることを特徴とする請求項１から４の何れか１項記載のワイパーストッカー。
【請求項６】
前記蓋体は、前記引出口を遮蔽可能な開閉蓋を備えていることを特徴とする請求項１から５の何れか１項記載のワイパーストッカー。
【発明の詳細な説明】
【技術分野】
【０００１】
本発明は、ウェットワイパーが収容されるワイパーストッカーに関するものである。
【背景技術】
【０００２】
食品工場等では、加工や調理等の作業ごと又は食材ごとに作業台や器具等を薬液（消毒アルコール）で清掃する清掃作業が行われている。このような清掃作業では、清掃対象物に薬液を直接吹き付けて不織布や紙製品等のワイパーで拭き取ったり、ワイパーに薬液を含浸させて対象物を拭き取ることにより清掃を行っている。
【０００３】
アルコールをワイパーに含浸させる方法としては、別途用意した容器内でワイパーを薬液に含浸させた後に、ワイパーをストッカーに移し替えて使用したり、ワイパーが収容されたストッカーに薬液を注ぎ込み、ストッカー内で薬液をワイパーに浸漬させた後に使用するものが知られている。一般的に、このようなワイパーを収容する容器は、ポリスチレン、ポリエチレン又はポリプロピレン等の樹脂で成形される。
【０００４】
このような容器として、特許文献１には、容器と内周蓋とをネジ切りして着脱自在に組み付けたバケツ型容器が開示されている。また、特許文献２には、容器本体と蓋体部とを凹凸係合させて着脱自在に組み付けたポップアップ型容器が開示されている。
【先行技術文献】
【特許文献】
【０００５】
【特許文献１】特許第４９２２６９５号公報
【特許文献２】特許第４９４３８３４号公報
【発明の概要】
【発明が解決しようとする課題】
【０００６】
しかしながら、上述したような樹脂製のワイパー用容器は、破損し易いため、薬液が漏洩したり破片が食品に混入する虞があった。また、食品に混入した破片は、金属検出器に代表される異物検出器で検出するのが難しいという問題があった。
【０００７】
そこで、薬液の漏れや食品への異物混入を抑制するために解決すべき技術的課題が生じてくるのであり、本発明はこの課題を解決することを目的とする。
【課題を解決するための手段】
【０００８】
上記目的を達成するために、本発明に係るワイパーストッカーは、ウェットワイパーを収容するワイパーストッカーであって、上部に開口部を有する箱状に形成された金属製の本体と、前記本体に水平方向にスライド自在に取り付けられ、前記開口部を塞ぐ上板に前記ウェットワイパーを引き出す引出口が形成された金属製の蓋体と、を備えている。
【０００９】
この構成によれば、従来のようなプラスチック性の容器に比べて、金属製のワイパーストッカーは、破損して薬液が漏れたり、破片が食品等に混入するリスクを低減することができる。また、蓋体が本体に対して摺動して開蓋可能なことにより、ワイパーの収容や交換、薬液の注入を簡便に行うことができる。また、蓋体が着脱自在なため、衛生的に使用することができる。さらに、蓋体のスライド幅は任意に調整可能なため、例えば蓋体を僅かにスライドさせることによりワイパーの残量を簡便に確認することができる。
【００１０】
また、本発明に係るワイパーストッカーは、前記蓋体が開限位置に達した際に前記蓋体を規制するストッパー手段をさらに備えていることが好ましい。
【００１１】
この構成によれば、ストッパー手段は、開蓋時に蓋体が外れて落下することを防止できる。
【００１２】
また、本発明に係るワイパーストッカーは、前記ストッパー手段が、前記本体の側壁外周から突設された留め部と、前記蓋体に垂設されて前記留め部に係止可能な突片と、を備えていることが好ましい。
【００１３】
この構成によれば、留め部が蓋体の開限位置を規定することにより、開蓋時に不用意に蓋体が外れることを抑制できる。
【００１４】
また、本発明に係るワイパーストッカーは、前記蓋体が前記本体に対して浮き上がることを規制するガイド手段をさらに備えていることが好ましい。
【００１５】
この構成によれば、ガイド手段が、蓋体が浮き上がって脱落することを防止できる。
【００１６】
また、本発明に係るワイパーストッカーは、閉蓋時に前記蓋体を前記本体に固定可能なロック手段をさらに備えていることが好ましい。
【００１７】
この構成によれば、ロック手段は、閉蓋時に蓋体が外れて落下することを防止できる。
【００１８】
また、本発明に係るワイパーストッカーは、前記蓋体は、前記引出口を遮蔽可能な開閉蓋を備えていることが好ましい。
【００１９】
この構成によれば、開閉蓋が、引出口を介して薬液が揮散することを抑制すると共に異物が混入することを抑制できる。
【発明の効果】
【００２０】
本発明は、破損して薬液が漏れたり、破片が食品等に混入するリスクを低減することができる。また、ワイパーの収容や交換、薬液の注入を簡便に行うことができる。また、蓋体が着脱自在なため衛生的に使用することができる。さらに、ワイパーの残量を簡便に確認することができる。
【図面の簡単な説明】
【００２１】
【図１】本発明の一実施形態に係るワイパーストッカーを示す斜視図。
【図２】本体を示す斜視図。
【図３】表面側から視た蓋体を示す斜視図。
【図４】裏面側から視た蓋体を示す斜視図。
【図５】ガイド手段の構造を模式的に示す断面図。
【図６】蓋体が開眼位置までスライドした状態を示す斜視図。
【発明を実施するための形態】
【００２２】
本発明の実施形態について図面に基づいて説明する。なお、以下では、構成要素の数、数値、量、範囲等に言及する場合、特に明示した場合及び原理的に明らかに特定の数に限定される場合を除き、その特定の数に限定されるものではなく、特定の数以上でも以下でも構わない。
【００２３】
また、構成要素等の形状、位置関係に言及するときは、特に明示した場合及び原理的に明らかにそうでないと考えられる場合等を除き、実質的にその形状等に近似又は類似するもの等を含む。
【００２４】
また、図面は、特徴を分かり易くするために特徴的な部分を拡大する等して誇張する場合があり、構成要素の寸法比率等が実際と同じであるとは限らない。また、断面図では、構成要素の断面構造を分かり易くするために、一部の構成要素のハッチングを省略することがある。
【００２５】
図１は、本発明の一実施形態に係るワイパーストッカー１を模式的に示す斜視図である。図２は、本体２を示す斜視図である。図３は、表面側から視た蓋体３を示す斜視図である。図４は、裏面側から視た蓋体３を示す斜視図である。なお、後述するロック手段５及び開閉蓋３５は図１にのみ記載し、その他の図面では省略している。
【００２６】
ワイパーストッカー１は、二つ折りにした複数の不織布等のワイパーを上下に重ね合わせた積層体を収容する。ワイパーストッカー１に収容されるワイパーは、エタノールやイソプロパノール等の薬液（消毒アルコール）を含浸させたウェットワイパーである。ウェットワイパーとは、具体的には、予め薬液が含浸された状態でワイパーストッカー１に収容されたもの、又はドライ状態のワイパーをワイパーストッカー１に収容した後に薬液を注入することにより薬液をワイパーに浸漬したものである（以下、総称して「ワイパー」という）。
【００２７】
ワイパーストッカー１は、本体２と、蓋体３と、を備えている。ワイパーストッカー１は、後述するように蓋体３を本体２に対してスライド方向Ｓに沿って摺動させてスライド可能である。ワイパーストッカー１は、溶接加工又はプレス加工等によって成形される。
【００２８】
ワイパーストッカー１内に収容されたワイパーは、蓋体３の上面に平面から視て略十字状に形成された引出口３１を介して引き出される。ワイパーが引き出されると、摩擦によって隣接するワイパーがつられて、その一部が引出口３１から立ち上がるように引き出される。
【００２９】
ワイパーストッカー１の素材は、例えば、ステンレス、アルミ、銅、鉄等の金属が好ましい。また、素材肉厚は、例えば１〜５ｍｍに設定される。肉厚が１ｍｍ未満では、本体２や蓋体３を溶接で形成する際に、溶接によるピンホールが発生して薬液が漏洩するリスクがある。また、肉厚が５ｍｍを超えると、ワイパーストッカー１の重量が過度に重くなる虞がある。素材肉厚は、２〜５ｍｍに設定されるのが好ましい。
【００３０】
本体２は、上部に開口部２ａを有する箱状に形成されており、矩形状の底板２１と、底板２１の四辺から立設された側板２２と、を備えている。本体２は、テーブル等の所望の場所に載置される。本体２の幅方向Ｗの寸法（幅寸法）は、例えば２００〜３００ｍｍに設定される。本体２のスライド方向Ｓの寸法（奥行寸法）は、例えば１００〜２００ｍｍに設定される。本体２の高さ方向Ｈの寸法（高さ寸法）は、例えば５０〜２００ｍｍに設定される。
【００３１】
底板２１の裏面２１ａの隅には、図示しない樹脂又はゴム製の滑り止め部材を設けても構わない。また、滑り止め部材に代えて、対向する２枚の側板２２を外側から挟む金属製のアングル材等を用いて本体２をテーブル等に固定しても構わない。
【００３２】
側板２２は、スライド方向Ｓに対して平行な２枚の側板２２ａと、スライド方向Ｓの開側に設けられた側板２２ｂと、スライド方向Ｓの閉側に設けられた側板２２ｃと、である。
【００３３】
側板２２ａの上端には、外側に突出したガイド部２２ｄが設けられている。ガイド部２２ｄは、例えば側板２２ａの上端を外側に折り返すことにより形成される。
【００３４】
蓋体３は、開口部２ａを塞ぐ矩形状の上板３２と、上板３２の３辺から立設された側板３３と、を備えている。
【００３５】
上板３２には、丁番３４を介して開閉自在に上板３２に取り付けられ、不使用時に引出口３１を遮蔽する開閉蓋３５が設けられている。これにより、引出口３１を介して薬液が揮散することを抑制すると共にワイパーストッカー１内に異物が混入することを抑制できる。
【００３６】
側板３３の下端には、内側に突出した被ガイド部３３ａが設けられている。被ガイド部３３ａは、例えば側板３３の下端を内側に折り返すことにより形成される。
【００３７】
ワイパーストッカー１は、蓋体３の浮き上がりを規制するガイド手段４を備えている。ガイド手段４は、ガイド部２２ｄと、被ガイド部３２ａと、で構成されている。図５に示すように、上板３２及び被ガイド部３３ａがガイド部２２ｄを上下で挟み込むことにより、ガイド部２２ｄがガイドとして機能する。また、ガイド手段４は、ワイパーストッカー１の幅方向Ｗの両側に設けられていることにより、蓋体３の横ずれを防止することができる。
【００３８】
金属製の蓋体３は弾性を有しているため、ユーザが、幅方向Ｗに対向する側板３３同士が互いに遠ざかるように上板３２を湾曲させることにより、ガイド手段４が解除されて蓋体３が本体２から取り外し可能であり、ワイパーストッカー１を衛生的に使用することができる。
【００３９】
ワイパーストッカー１は、蓋体３が開口部２ａを塞いだ状態である閉蓋時に蓋体３を本体２に固定するロック手段５を備えている。ロック手段５は、いわゆるスナップ錠であり、上板３２のスライド方向Ｓの閉側の端部に設けられた突起５１に側板２２ｃの外側に設けられたレバー５２を引っ掛けて倒すことにより、閉蓋時に本体２及び蓋体３を固定することができる。
【００４０】
なお、ロック手段５は、上述した構成に限定されず、例えば閉蓋時に蓋体３を本体２に吸着保持する磁石等であっても構わない。このようにして、ロック手段５が、閉蓋時に蓋体３が外れて落下することを防止するようになっている。
【００４１】
ワイパーストッカー１は、開蓋時に蓋体３の落下を防止するストッパー手段６を備えている。ストッパー手段６は、留め部６１と、突片６２と、を備えている。
【００４２】
留め部６１は、側板２２ａの外側に設けられている。留め部６１は、図６に示すように蓋体３が開限位置（蓋体３を開方向にスライドさせた場合の限界位置）にスライドした際に突片６２が係止する位置に設けられている。すなわち、蓋体３は本体２に対して開限位置で保持される他に、スライド動作が規制されず、ユーザは任意の位置に蓋体３を摺動させることができる。なお、留め部６１の形状は、側面視で略正方形以外であっても構わない。
【００４３】
突片６２は、スライド方向Ｓに対して平行に設けられた側板３３のスライド方向Ｓの閉側の端部から下方に向かって突設されている。突片６２の奥行き寸法は、５〜３０ｍｍに設定される。突片６２の奥行き寸法が５ｍｍ未満では、突片６２を留め部６１に繰り返し接触させる強度を確保しにくく、突片６２の奥行き寸法が３０ｍｍを超えると、突片６２が幅広に形成された分だけ蓋体３のスライド範囲が狭くなり、本体２内へのアクセス性が悪化しがちである。突片６２の奥行き寸法は、好ましくは１０ｍｍ程度に設定される。このようにして、ストッパー手段６が、開蓋時に蓋体３が外れて落下することを防止するようになっている。
【００４４】
これにより、金属製のワイパーストッカー１は、従来のようなプラスチック性の容器に比べて、破損して薬液が漏れたり、破片が食品等に混入するリスクを低減することができる。また、ワイパーストッカー１は、蓋体３が本体２に対して摺動して開蓋可能なことにより、ワイパーの収容や交換、薬液の注入を簡便に行うことができる。さらに、蓋体３のスライド幅は任意に調整可能なため、例えば蓋体３を僅かにスライドさせることによりワイパーの残量を簡便に確認することができる。
【００４５】
また、本発明は、本発明の精神を逸脱しない限り、上記以外にも種々の改変を為すことができ、そして、本発明が該改変されたものに及ぶことは当然である。
【符号の説明】
【００４６】
１    ・・・ワイパーストッカー
２    ・・・本体
２ａ  ・・・開口部
２１  ・・・底板
２１ａ・・・裏面
２２、２２ａ、２２ｂ、２２ｃ・・・（本体の）側板
２２ｄ・・・ガイド部
３    ・・・蓋体
３１  ・・・引出口
３２  ・・・上板
３２ａ・・・被ガイド部
３３  ・・・（蓋体の）側板
３３ａ・・・被ガイド部
３５  ・・・開閉蓋
４    ・・・ガイド手段
５    ・・・ロック手段
５１  ・・・突起
５２  ・・・レバー
６    ・・・ストッパー手段
６１  ・・・留め部
６２  ・・・突片
Ｓ    ・・・スライド方向
Ｗ    ・・・幅方向
【図１】
2019156475.tif 000003
【図２】
2019156475.tif 000004
【図３】
2019156475.tif 000005
【図４】
2019156475.tif 000006
【図５】
2019156475.tif 000007
【図６】
2019156475.tif 000008